(57)【要約】【課題】構造が簡単で且つ安価にできる装置。【解決手段】上方に起立段ボールシート群用空間Ｓを形成した水平な整列台２と、該整列台２の底面に該空間Ｓと接するように設けられ、段ボールシート送出し方向（矢符Ａ方向）へ沿って前後移動する送出し具３，３と、各送出し具３を送出し方向へ送出し速度で前進させ後に、送出し方向と逆方向（矢符Ｂ方向）へ送出し速度より速い引抜き速度で後退させる操作具４，４と、前記空間Ｓに整列した起立段ボールシート群Ｄを段ボールシート送出し方向（矢符Ａ方向）へ向かって後押しする後押し装置５とを備えたこと。【選択図】  図１
2005008180.tif 000002
【特許請求の範囲】
【請求項１】
上方に起立段ボールシート群用空間を形成した水平な整列台と、該整列台の底面に該空間と接するように設けられ、段ボールシート送出し方向へ沿って前後移動する送出し具と、該送出し具を送出し方向へ送出し速度で前進させ後に、送出し方向と逆方向へ送出し速度より速い引抜き速度で後退させる操作具と、前記空間に整列した起立段ボールシート群を段ボールシート送出し方向へ向かって後押しする後押し装置とを備えたことを特徴とする製箱用段ボールシートの整列供給装置。
【発明の詳細な説明】
【０００１】
【産業上の利用分野】
本発明は、偏平に折り畳まれた複数枚の製箱用段ボールシートを起立状態で整列した起立段ボールシート群から一枚づつ製箱用段ボールシートを送り出す製箱用段ボールシートの整列供給装置に関するものである。
【０００２】
【従来の技術】
従来、整列供給装置は、上方に起立段ボールシート群用空間を形成した水平な整列台と、該整列台の底面に設けられ、起立段ボールシート群を受載して送出し方向へ送り出すチエーンコンベアと、該チエーンコンベアを製箱用段ボールシートの一枚分づつ起立段ボールシート群を送出し方向へ駆動する減速機及びブレーキ付きモータからなる駆動装置とを備えものがある（例えば、特許文献１参照。）。
【０００３】
【特許文献１】
特開平５−９６６６２号公報
【０００４】
【発明が解決しようとする課題】
従来の整列供給装置は、チエーンコンベアが大がかりになると共に、一枚分づつ駆動するための駆動駆動装置を減速機及びブレーキ付きのモータで構成する必要があるため、装置全体が複雑で高価になる問題がある。
【０００５】
本発明は、上記問題点を解決するために、構造が簡単で且つ安価にできる製箱用段ボールシートの整列供給装置の提供を目的とする。
【０００６】
【課題を解決するための手段】
請求項１記載の本発明が採用した手段は、上方に起立段ボールシート群用空間を形成した水平な整列台と、該整列台の底面に該空間と接するように設けられ、段ボールシート送出し方向へ沿って前後移動する送出し具と、該送出し具を送出し方向へ送出し速度で前進させ後に、送出し方向と逆方向へ送出し速度より速い引抜き速度で後退させる操作具と、前記空間に整列した起立段ボールシート群を段ボールシート送出し方向へ向かって後押しする後押し装置とを備えたことを特徴とする製箱用段ボールシートの整列供給装置である。前記操作具は、前記送出し具の前後移動を、エアーシリンダーで行わせる。
【０００７】
本発明にあっては、整列台に起立段ボールシート群を載置し、操作具により送出し具を送出し方向へ送出し速度で前進さることにより、起立段ボールシート群を送出し方向へ前進さることができ、逆に、前進した操作具を送出し具により引抜き速度で後退させることにより、慣性力で留まろうとする起立段ボールシート群の下面を滑りながら操作具を後退させることができると共に、起立段ボールシート群が後退するのを押圧装置で阻止することができる。
【０００８】
【発明の実施の形態】
以下、本発明に係る製箱用段ボールシートの整列供給装置（以下、「本発明整列供給装置」という）を図面に示す実施の形態に基づいて説明する。
【０００９】
図１及び図２は本発明整列供給装置の実施の形態を示すものであり、図１は全体を示す斜視図、図２左側面図であって起立段ボールシート群を送出し方向へ前進させた状態を示すものである。
【００１０】
本実施の形態の本発明整列供給装置１は、上方に起立段ボールシート群用空間Ｓを形成した整列台２と、該整列台２の底面に該空間Ｓと接するように設けられ、段ボールシート送出し方向（矢符Ａ方向）へ沿って前後移動する送出し具３，３と、各送出し具３を送出し方向へ送出し速度で前進させ後に、送出し方向と逆方向（矢符Ｂ方向）へ送出し速度より速い引抜き速度で後退させる操作具４，４と、前記空間Ｓに整列した起立段ボールシート群Ｄを段ボールシート送出し方向（矢符Ａ方向）へ向かって後押しする後押し装置５とを備えている。
【００１１】
前記整列台２は、水平な底板部２ａと側板部２ｂとを備え、底板部２ａ及び側板部２ｂで起立段ボールシート群用空間Ｓの底面及び側面とを形成している。起立段ボールシート群用空間Ｓは、その前方側が起立段ボールシートＥを一枚づつ切り出せる側となり、その後方側が新しい複数枚の起立段ボールシートＥを載置する側となる。整列台２は、前後方向に沿って整列した起立段ボールシート群Ｄを受載する。
【００１２】
前記各送出し具３は、前記整列台２の底板部２ａに前後方向に沿って凹設された案内溝６に案内され、前進位置Ｆ（図２中実線で示す位置）から後退位置Ｇ（同図中二点鎖線で示す位置）まで往復移動するようになっており、空間Ｓに面する受載部３ａと、操作具４が連結する連結部３ｂとを備えている。前進位置Ｆから後退位置Ｇまでの距離（往復移動するストローク）は、起立段ボールシートＥの厚みの２〜３倍程度の寸法にしてある。受載部３ａは、その先端部３ａ−１が傾斜して案内溝６内へ沈み込むようになつており、起立段ボールシートＥを先端部で掬い上げながら前進するようにしてある。
【００１３】
前記各操作具４は、前記送出し具３を前後移動させるエアーシリンダー７と、エアーシリンダー７を制御する制御具（図示略）とを備えている。エアーシリンダー７は、整列台２に本体部を連結すると共に、送出し具３の連結部３ｂに出力端を連結してある。制御具は、エアーシリンダー７の進退方向を切り換える制御切替弁と、送出し速度より速い引抜き速度で後退させるスピードコントロール弁とを組み合わせた圧縮空気用配管路を形成し、コンプレッサーから圧縮空気が供給されるようになつている。操作具４は、各送出し具３を送出し方向（矢符Ａ方向）へ送出し速度で前進させ後に、送出し方向と逆方向（矢符Ｂ方向）へ送出し速度より速い引抜き速度で後退させるようにしてある。送出し速度は、整列台２に載置した起立段ボールシート群Ｄの全体を前方へ送り出すことができる速度であり、引抜き速度は、慣性力で留まろうとする起立段ボールシート群の下面を滑りながら操作具３を急速に後退させることができる速度である。なお、操作具４は、二組の送出し具３，３を一本のエアーシリンダー７で操作するよに構成することも可能である。
【００１４】
前記後押し装置５は、前記整列台２にブラケット８，８を介して支持した前後方向に延びる案内棒９と、案内棒９に案内されて前後移動する後押し棒１０と、後押し棒１０を前方へ付勢する付勢手段１１とを備えている。後押し棒１０は、後押し位置Ｐと後退位置Ｑとの間で揺動できるようになつている。付勢手段１１は、滑車１２と、滑車１２に案内され、一端を後押し棒１０に連結すると共に、他端に付勢用重り１３を連結したロープ１４とを備えている。付勢手段１１は、重り１３を用いる以外に、図示は省略したが、エアーリンダーで後押し棒１０を前方へ付勢するように構成することも可能である。
【００１５】
本実施の形態の本発明整列供給装置１は、起立段ボールシート群用空間Ｓの前方に、起立段ボールシート群Ｄの前端から起立段ボールシートＥを一枚づつ切り出すための、切出し装置１６を備えている。切出し装置１６は、昇降自在に配置した吸盤１７を備え、送出し具で送出し方向へ前進する起立段ボールシート群Ｄの前端を受け止め、その後に、前端の起立段ボールシートＥを吸盤１７で吸着しつつ下方へ切り出すようになっている。
【００１６】
次に、本発明整列供給装置１の動作を説明する。先ず準備段階において、作業者は、整列台２に起立段ボールシート群Ｄを載置し、その後に、起立段ボールシート群Ｄの後面を後押し装置５の後押し棒１０で後押しするようにセットする。
【００１７】
次に、操作具４，４の操作により送出し具３，３を送出し速度で前進させ、起立段ボールシート群Ｄを前進させる。前進する起立段ボールシート群Ｄは、切出し装置１６で受け止められて停止する。送出し具３のストロークが起立段ボールシートＥの厚みの２〜３倍程度の寸法になっているため、起立段ボールシート群Ｄが切出し装置１６で受け止められた後は、送出し具３，３と起立段ボールシート群Ｄの底面との間で滑りが生じることになる。切出し装置１６で受け止めた起立段ボールシート群Ｄの前端の起立段ボールシートＥは、切出し装置１６で吸着されながら、下方へ切り出される。
【００１８】
この切り出しと並行して、操作具４，４の操作により送出し具３，３を引抜き速度で急速に後退させ、次の切り出し操作まで待機させる。
【００１９】
前記切り出しにより減った起立段ボールシートＥを補給するときには、補充する枚数からなる起立段ボールシート群Ｄを整列台２に載置し、その後、後押し装置５の案内棒９を後退位置Ｑへ揺動させたまま後退させると共に、後押し位置Ｐへ逆揺動させた案内棒９で起立段ボールシート群Ｄの最後端面を押圧させる。
【００２０】
【発明の効果】
本発明製箱装置は、段ボールシート送出し方向へ沿って前後移動する送出し具を操作具の操作により、送出し方向へ送出し速度で前進させ後に、送出し速度より速い引抜き速度で後退させることにより、起立段ボールシート群を前進させることができるため、従来の大がかりなチエーンコンベアや、高価な減速機及びブレーキ付きのモータを用いる必要がなくなり、構造が簡単で且つ安価に提供することかできる。
【図面の簡単な説明】
【図１】本発明整列供給装置の実施の形態の全体を示す斜視図である。
【図２】同実施の形態において、起立段ボールシート群を送出し方向へ前進させた状態を示す左側面図である。
【符号の説明】
Ｓ…起立段ボールシート群用空間、Ｄ…起立段ボールシート群、２…整列台、３…送出し具、４…操作具、５…後押し装置
【図１】
2005008180.tif 000003
【図２】
2005008180.tif 000004